(57)【要約】      （修正有）【課題】本発明は、両面使用可能な光ファイバコネクタクリーニングテープセットを提供する。【解決手段】光ファイバコネクタクリーニングテープセットは、駆動ユニット４０、クリーニングテープ５０及びハウジング６０を含む。駆動ユニット４０は、駆動輪セット４１を含む。クリーニングテープ５０の一部は駆動輪セット４１に巻回される。ハウジング６０は、インナーハウジング６１、６２及びアウターハウジング６３、６４を含む。インナーハウジング６１、６２は、面反転構造を含む。駆動輪セット４１は、インナーハウジング６１、６２内に収容される。アウターハウジング６３、６４は、クリーニング領域６６を含む。クリーニングテープ５０の第１の面５１の一部がクリーニング領域６６に露出されると共に、クリーニングテープ５０の第２の面５２の一部がクリーニング領域６６に露出されるように、クリーニングテープ５０の一部は、面反転構造に巻回される。【選択図】図１
2016078003.tif 000002
【特許請求の範囲】
【請求項１】
駆動輪セットを含む駆動ユニットと、
第１の面及び前記第１の面に対向する第２の面を含み、一部が前記駆動輪セットに巻回されるクリーニングテープと、
面反転構造を含むと共に前記駆動輪セットが内部に収容されるインナーハウジングと、クリーニング領域を含むと共に前記インナーハウジングを被覆するアウターハウジングと、を含み、前記クリーニングテープの一部が前記面反転構造に巻回される、ハウジングと、
を含み、
前記クリーニングテープの前記第１の面の一部が前記クリーニング領域に露出されると共に、前記クリーニングテープの前記第２の面の一部が前記クリーニング領域に露出されるように前記クリーニングテープの一部が前記面反転構造に巻回されることを特徴とする両面使用可能な光ファイバコネクタクリーニングテープセット。
【請求項２】
前記面反転構造は、前記ハウジングの前記クリーニング領域に形成された支持平面の両側に設けられる２つの回動柱と、前記支持平面の法線方向と略平行して設けられる面反転柱と、を含み、
前記クリーニング領域と前記面反転柱との間の前記クリーニングテープは、所定角度捩じられると共に、前記第１の面が前記面反転柱と接触し、
前記面反転柱は、前記クリーニングテープが巻回されるテーパー部を有すると共に、前記面反転柱の軸方向が前記支持平面の法線方向に対して所定の小角度をなすことを特徴とする請求項１に記載の両面使用可能な光ファイバコネクタクリーニングテープセット。
【請求項３】
前記駆動ユニットは、押圧ボタン、バネ及びガイド部材を含む押圧ユニットと、前記押圧ユニットに接続されると共に回動可能な前記駆動輪セットに突き当てられ、推進ブロック及び連動ロッドを含む推進モジュールと、を更に含み、
前記バネの両端は、それぞれ前記推進ブロックの前端及び前記押圧ボタンに当接され、
前記ガイド部材は、前記押圧ボタンを案内するように前記アウターハウジングに固定され、
前記推進ブロックは、前記押圧ボタンの動作に合わせて前後に移動し、
前記連動ロッドは、前記アウターハウジングの内側に枢支接続される底端と、前記クリーニング領域の開閉を制御するように遮蔽板に結合される頂端と、を有することを特徴とする請求項１に記載の両面使用可能な光ファイバコネクタクリーニングテープセット。
【請求項４】
前記押圧ボタンには、前記押圧ボタンの頂端の一側に固定されると共に前記ガイド部材に向いた押し棒が設けられており、
前記押し棒の一側には、前記連動ロッドに枢支接続される枢支接続ブロックが設けられており、前記押し棒の他側には、前記推進ブロックを貫通すると共に前記推進ブロックを案内する摺動ガイドブロックが設けられており、
前記推進ブロックが前記押圧ボタンの動作に合わせて前後に移動することができるように、前記推進ブロックには、前記押し棒の前記摺動ガイドブロックが内部に設けられる上ガイド孔と、前記アウターハウジングの内側に設けられている軸桿が貫通する下ガイド孔とが設けられることを特徴とする請求項３に記載の両面使用可能な光ファイバコネクタクリーニングテープセット。
【請求項５】
前記推進ブロックの頂縁には、上ラックが設けられており、前記推進ブロックの底縁には、下ラックが設けられており、
前記インナーハウジング内には、２つの摩擦車が回動可能に設けられており、前記２つの摩擦車が共同して前記クリーニングテープを挟持し、
前記２つの摩擦車のうちの１つの一端が、前記インナーハウジングから露出されると共に定量ローラに噛み合わされ、
前記定量ローラには、前記推進ブロックの前記上ラックと噛み合うと共に前記推進ブロックの前記上ラックに方向性を有して係止される突出部が設けられていることを特徴とする請求項４に記載の両面使用可能な光ファイバコネクタクリーニングテープセット。
【請求項６】
前記駆動輪セットは、駆動プレート、巻取プレート、分離プレート及び巻回プレートを含み、
前記分離プレートは、前記巻取プレートと前記巻回プレートとの間に設けられ、
前記駆動プレートは、前記巻取プレートの外側面に設けられて前記分離プレートと対向し、
前記駆動プレートの外側中心には、駆動ギアが設けられ、
前記推進ブロックの前記下ラックが前記駆動プレートの前記駆動ギアに突き当てられ、
前記駆動プレートの円周には、弧形をなす少なくとも１つの当接爪が弾性的に設けられていることを特徴とする請求項５に記載の両面使用可能な光ファイバコネクタクリーニングテープセット。
【請求項７】
前記巻取プレートの前記駆動プレートと向かい合う面には、前記駆動プレートの前記当接爪が噛み合わされる内歯と、外歯と、を有するラチェットリングが設けられており、前記巻取プレートの前記巻回プレートと向かい合う面には前記クリーニングテープを巻き取るための巻取柱が設けられており、
前記巻回プレートの前記巻取プレートと反対の面には、外歯リングが設けられており、前記巻回プレートの前記巻取プレートと向かい合う面の円心部分には、前記クリーニングテープを巻回するための巻回柱が設けられており、
前記インナーハウジングには、前記巻回プレートの前記外歯リングに方向性を有して突き当てられる当止爪が設けられていることを特徴とする請求項６に記載の両面使用可能な光ファイバコネクタクリーニングテープセット。
【発明の詳細な説明】
【技術分野】
【０００１】
本発明は、光ファイバコネクタクリーニングテープセットに関し、特に光ファイバコネクタをクリーニングするためにクリーニングテープの両面を利用することができる構造に関する。
【背景技術】
【０００２】
光ファイバコネクタの信号接続時に、光ファイバコネクタの表面に付着した埃などによる汚れが信号接続における伝送品質に悪影響を及ぼさないようにするために、作業者は、配線工事の際に、先ず光ファイバコネクタ専用のクリーナーを用いて、光ファイバコネクタの表面を清掃する。これにより、信号への影響を及ぼし得る汚れを取り除いている。
【０００３】
光ファイバコネクタ専用のクリーナーは、駆動機構、ハウジング及びクリーニングテープを含む。ハウジングを用いて駆動機構及びクリーニングテープを収容すると共に、クリーニングテープの一部がハウジングから露出されるようにすることで、光ファイバコネクタをクリーニングテープ上で摩擦によって清掃できるようにしている。クリーニングテープは、駆動機構を介して回動されることで、絶えず新しいテープを提供するようにハウジングの一部から露出される。しかしながら、クリーニングテープは両面とも清掃の機能を有し得るにもかかわらず、従来の光ファイバコネクタ専用クリーナーでは、クリーニングテープの同一面しかハウジングから露出されないため、極めて無駄が大きいという問題があった。
【発明の概要】
【発明が解決しようとする課題】
【０００４】
本発明は、光ファイバコネクタ用クリーニングテープの両面を利用することができる、両面使用可能な光ファイバコネクタクリーニングテープセットを提供することを課題とする。
【課題を解決するための手段】
【０００５】
本発明に係る両面使用可能な光ファイバコネクタクリーニングテープセットは、駆動ユニット、クリーニングテープ及びハウジングを含む。駆動ユニットは、駆動輪セットを含む。クリーニングテープは、第１の面及び第１の面に対向する第２の面を含み、クリーニングテープの一部は駆動輪セットに巻回される。ハウジングは、インナーハウジング及びインナーハウジングを被覆するアウターハウジングを含む。インナーハウジングは、面反転構造を含む。駆動輪セットは、インナーハウジング内に収容される。アウターハウジングは、クリーニング領域を含む。クリーニングテープの一部は、面反転構造に巻回される。クリーニングテープの第１の面の一部がクリーニング領域に露出されると共に、クリーニングテープの第２の面の一部がクリーニング領域に露出されるように、クリーニングテープの一部は、面反転構造に巻回される。
【発明の効果】
【０００６】
本発明は、クリーニングテープの両面を使用することができる効果を奏する。
【図面の簡単な説明】
【０００７】
【図１】本発明に係る光ファイバコネクタクリーニングテープセットを示した分解図である。
【図２】本発明に係る光ファイバコネクタクリーニングテープセットを他の視点から見た分解図である。
【図３】本発明に係る光ファイバコネクタクリーニングテープセットのインナーハウジングが第１のアウターハウジングに組み付けられることを示した図である。
【図４】本発明に係る光ファイバコネクタクリーニングテープセットのインナーハウジングが第１のアウターハウジングに組み付けられることを他の視点から見た図である。
【図５】本発明に係る光ファイバコネクタクリーニングテープセットの第１の状態を示した図である（インナーハウジングは光ファイバコネクタクリーニングテープセットに内蔵されている）。
【図６】本発明に係る光ファイバコネクタクリーニングテープセットの第１の状態を他の視点から見た図である（インナーハウジングは光ファイバコネクタクリーニングテープセットに内蔵されている）。
【図７】本発明に係る光ファイバコネクタクリーニングテープセットの第２の状態を示した図である（インナーハウジングは光ファイバコネクタクリーニングテープセットに内蔵されている）。
【図８】本発明に係る光ファイバコネクタクリーニングテープセットの第２の状態を他の視点から見た図である（インナーハウジングは光ファイバコネクタクリーニングテープセットに内蔵されている）。
【発明を実施するための形態】
【０００８】
図１及び図２は、本発明に係る両面使用可能な光ファイバコネクタクリーニングテープセットの分解斜視図である。光ファイバコネクタクリーニングテープセットは、駆動ユニット４０、クリーニングテープ５０及びハウジング６０を含む。クリーニングテープ５０の一部は、駆動ユニット４０に巻回される。駆動ユニット４０及びクリーニングテープ５０は共にハウジング６０内に設けられる。クリーニングテープ５０の一部はハウジング６０から露出される。クリーニングテープ５０は、第１の面５１及び第２の面５２を有する。
【０００９】
ハウジング６０は、第１のインナーハウジング６１、第２のインナーハウジング６２、第１のアウターハウジング６３、第２のアウターハウジング６４を含む。ハウジング６０の内部には、面反転構造６５が収容されている。第１のインナーハウジング６１と第２のインナーハウジング６２は、クリーニングテープ５０を収容するように、結合してインナーハウジングを構成する。面反転構造６５は、クリーニングテープ５０を反転させて表の面と裏の面とが並列するように、第１のインナーハウジング６１と第２のインナーハウジング６２とが結合した後のチャンバー内に設けられる。第１のアウターハウジング６３と第２のアウターハウジング６４は、結合してアウターハウジングを構成する。第１のインナーハウジング６１及び第２のインナーハウジング６２は、共に第１のアウターハウジング６３及び第２のアウターハウジング６４が結合した後のチャンバー内に設けられる。アウターハウジングは、インナーハウジングを被覆する。
【００１０】
第１のインナーハウジング６１及び第２のインナーハウジング６２は、結合した後共同で開孔を形成し、開孔及び開孔に露出される第１のインナーハウジング６１及び第２のインナーハウジング６２の内部空間をクリーニング領域６６として構成する。クリーニング領域６６は略長方形をなす。第２のインナーハウジング６２のクリーニング領域６６に対応する位置には、支持平面６２４が設けられていると共に、支持平面６２４には支持板６６１が設けられる。支持板６６１上方には、固定板６６２が設けられており、固定板６６２上方には、遮蔽板６６４が設けられている。クリーニングテープ５０の第１の面５１及び第２の面５２をそれぞれ露出できるように、固定板６６２には、２つの平行する長尺状の貫通孔６６２１が設けられている。前述した貫通孔６６２１の長手方向は、クリーニング領域６６の長辺と平行である。第１のアウターハウジング６３には、クリーニング領域６６に対応する開口６３０が形成される。
【００１１】
図１及び図２に示すように、駆動ユニット４０は、駆動輪セット４１、押圧ユニット４２、推進モジュール４３及び２つの摩擦車４４を含む。押圧ユニット４２は、推進モジュール４３と相互に接続され、推進モジュール４３は、押圧ユニット４２の内側に置かれる。駆動輪セット４１及び摩擦車４４は、それぞれ推進モジュール４３に接続される。
【００１２】
駆動輪セット４１は、駆動プレート４１１、巻取プレート４１２、分離プレート４１３及び巻回プレート４１４を含む。分離プレート４１３は、巻取プレート４１２と巻回プレート４１４との間に設けられる。駆動プレート４１１は、巻取プレート４１２の外側面に設けられて分離プレート４１３と対向する。駆動プレート４１１、巻取プレート４１２、分離プレート４１３及び巻回プレート４１４は、同軸となるよう同一軸心上に設けられる。駆動プレート４１１の外側、即ち巻取プレート４１２とは反対の面には、駆動ギア４１１１が設けられている。駆動ギア４１１１は、駆動プレート４１１の円心上に同軸的に設けられる。駆動プレート４１１の円周には、一対の当接爪４１１２が更に設けられている。当接爪４１１２は弧形をなし、駆動プレート４１１の円周に弾性的に設けられる。
【００１３】
巻取プレート４１２の外側面、即ち駆動プレート４１１と向かい合う面には、ラチェットリング４１２１が設けられている。ラチェットリング４１２１と巻取プレート４１２とは、円心位置が同じである。ラチェットリング４１２１の内径と駆動プレート４１１の外径とは略同じである。ラチェットリング４１２１は、内歯及び外歯を有すると共に、内歯及び外歯は傾斜方向が同一のラチェットである。駆動プレート４１１の当接爪４１１２は、ラチェットリング４１２１の内歯に噛み合わされる。巻取プレート４１２の内側面、即ち巻回プレート４１４と向かい合う面には、その円心位置に巻取柱４１２２が設けられている。巻取柱４１２２は、巻取プレート４１２のプレート面に対して略垂直をなす。巻回プレート４１４の外側面、即ち巻取プレート４１２の側とは反対側の面には、外歯リング４１４１が設けられている。外歯リング４１４１の歯数、縦弾性係数は、ラチェットリング４１２１の外歯と略同じである。巻回プレート４１４の巻取プレート４１２と向かい合う面の円心には、巻回柱４１４２が設けられている。
【００１４】
図２及び図３に示すように、押圧ユニット４２は、押圧ボタン４２１、バネ４２２及びガイド部材４２３を含む。バネ４２２の一端は、押圧ボタン４２１に突き当てられる。押圧ボタン４２１には、押圧ボタン４２１の頂端の一側に固定される押し棒４２１１が設けられており、押し棒４２１１はガイド部材４２３を向いている（押し棒４２１１は押圧ボタン４２１からガイド部材４２３側に延伸している）。押し棒４２１１の一側には、枢支接続ブロック４２１２が設けられており、押し棒４２１１の他側には摺動ガイドブロック４２１３が設けられている。ガイド部材４２３は、アウターハウジングに固定される。本実施例におけるガイド部材４２３は、アウターハウジング内に固定される弧形板状の固定部４２３２、及び固定部４２３２に接続される筒状部４２３１を有する。筒状部４２３１は、押圧ボタン４２１を向くと共に、押圧ボタン４２１を案内する。本実施例における第１のアウターハウジング６３と第２のアウターハウジング６４には、ガイド部材４２３の固定部４２３２を固定するための取付部６３５、取付部６４５がそれぞれ設けられている。
【００１５】
推進モジュール４３は、推進ブロック４３１及び連動ロッド４３３を含む。本実施例において、推進ブロック４３１と連動ロッド４３３は、第１のインナーハウジング６１の外側に設けられると共に、第１のアウターハウジング６３の内側に組み付けられる。推進ブロック４３１の前端には、上述したバネ４２２の他端に当接されるためのバネ固定柱４３１１が設けられている。推進ブロック４３１には、上ガイド孔４３１２及び下ガイド孔４３１４が設けられている。摺動ガイドブロック４２１３は、推進ブロック４３１を貫通すると共に、推進ブロック４３１を案内する。図３に示すように、押し棒４２１１の摺動ガイドブロック４２１３は、推進ブロック４３１の上ガイド孔４３１２内に設けられる。第１のアウターハウジング６３の内側には、軸桿６３４が設けられている。軸桿６３４は、推進ブロック４３１の下ガイド孔４３１４を貫通する。これにより、推進ブロック４３１は、押圧ボタン４２１の動作に合わせて前後に移動することができる。推進ブロック４３１の頂縁には、上ラック４３１３が設けられており、推進ブロック４３１の底縁には、下ラック４３１５が設けられている。
【００１６】
図２及び図３に示すように、連動ロッド４３３は、第１のアウターハウジング６３の内側の下端枢軸６３２に枢支接続される底端４３３２と、遮蔽板６６４のラグ６６４０に結合される頂端４３３１と、底端４３３２と頂端４３３１との間に位置する軸孔４３３０とを有する。押し棒４２１１の枢支接続ブロック４２１２は、連動ロッド４３３の軸孔４３３０に接続される。押圧ボタン４２１が内側に押されると、押し棒４２１１が押圧ボタン４２１の内向きの移動に伴って連動ロッド４３３を押し動かして底端４３３２を軸心として回動させ、連動ロッド４３３の頂端４３３１が遮蔽板６６４を押し動かしてクリーニング領域６６を開く。
【００１７】
２つの摩擦車４４の外表面には、平歯車が設けられている。２つの摩擦車４４は、インナーハウジング内に回動可能に設けられると共に、共同でクリーニングテープ５０を挟持する。図１に示すように、２つの摩擦車４４は、第２のインナーハウジング６２の摩擦車柱６２５に設けられる。そのうち１つの摩擦車４４は、一端が第１のインナーハウジング６１から露出されると共に、定量ローラ４４１に噛み合わされる。定量ローラ４４１は、インナーハウジングの外側に位置すると共に、摩擦車４４と同軸である。定量ローラ４４１には、突出部４４１１が設けられている。突出部４４１１は、推進ブロック４３１の上ラック４３１３に噛み合わされる。
【００１８】
第１のインナーハウジング６１の外側には、環状蓋部６１０が形成される。環状蓋部６１０の内側縁には、当止爪６１１が設けられている。当止爪６１１の縦弾性係数は、巻取プレート４１２のラチェットリング４１２１の外歯と同じである。第２のインナーハウジング６２には、当止爪６２１、透明部６２２及び収容部６２３が設けられている。第２のインナーハウジング６２の当止爪６２１は、第１のインナーハウジング６１の当止爪６１１と略同一である。収容部６２３は、第２のインナーハウジング６２における第１のインナーハウジング６１と向かい合う面に位置する。収容部６２３は、環状壁構造からなり、その直径は駆動輪セット４１の直径よりもやや大きい。第２のアウターハウジング６４は、中空部６４１を有し、中空部６４１の位置は透明部６２２の位置に対応している。
【００１９】
面反転構造６５は、面反転柱６５１及び２つの回動柱６５２を含む。回動柱６５２は、第２のインナーハウジング６２における第１のインナーハウジング６１と向かい合う面に設けられると共に、支持平面６２４の両側に設けられる。回動柱６５２の軸方向は、クリーニング領域６６の短辺と平行であり、クリーニングテープ５０の前進方向に対して垂直である。面反転柱６５１の軸方向は、回動柱６５２の軸方向に対して所定角度をなすと共に、支持平面６２４の法線方向と略平行である。面反転柱６５１の軸方向は、支持平面６２４の法線方向に対して所定の小角度をなすようにしてもよい。面反転柱６５１の中段には、テーパー部６５１１が設けられている。テーパー部６５１１の前述した開孔に近い一端の半径が最も大きく、テーパー部６５１１の前述した開孔から離れた一端の半径が最も小さい。
【００２０】
以上は光ファイバコネクタクリーニングテープセットの各部材の構造である。以下、各部材間の接続関係について説明する。
【００２１】
駆動輪セット４１は、第２のインナーハウジング６２の収容部６２３内に設けられる。駆動輪セット４１において、巻回プレート４１４は第２のインナーハウジング６２寄りであり、駆動プレート４１１は第１のインナーハウジング６１寄りである。第１のインナーハウジング６１の当止爪６１１は、巻取プレート４１２のラチェットリング４１２１の外歯に方向性を有して突き当てられ、第２のインナーハウジング６２の当止爪６２１は、巻回プレート４１４の外歯リング４１４１に方向性を有して突き当てられる。
【００２２】
クリーニングテープ５０は、その一端が巻取プレート４１２の巻取柱４１２２に巻回される。クリーニングテープ５０は、１つの回動柱６５２の前半部分（図１に示す左半部）を通り、その後、固定板６６２と支持板６６１との間を介してクリーニング領域６６を通り、クリーニングテープ５０の第１の面５１を固定板６６２のいずれか１つの貫通孔６６２１に露出させる。その後、他の回動柱６５２の前半部分（図１に示す左半部）を通り、クリーニングテープ５０は所定角度捩じられる。これにより、クリーニングテープ５０の第１の面５１は、面反転柱６５１のテーパー部６５１１に接触すると共に約１／２回転巻回される。クリーニングテープ５０は、再度所定角度捩じられると共に、他の回動柱６５２の後半部分（図１で示す右半部）を通り、その後、再度固定板６６２と支持板６６１との間を介してクリーニング領域６６を通る。この時、クリーニングテープ５０は、第２の面５２を固定板６６２の他の貫通孔６６２１に露出させる。次いで、クリーニングテープ５０は、回動柱６５２の後半部分（図１に示す右半部）を通り、クリーニングテープ５０の他端が巻回プレート４１４の巻回柱４１４２に巻回される。面反転柱６５１を設けたことによって、クリーニングテープ５０の第１の面５１及び第２の面５２は、それぞれ固定板６６２の両側の貫通孔６６２１に露出されることができる。本実施例における面反転柱６５１には、テーパー部６５１１が設けられているため、クリーニングテープ５０は、安定して面反転柱６５１上を通ることができる。
【００２３】
固定部材６４２は、第２のアウターハウジング６４、第２のインナーハウジング６２、駆動輪セット４１の中心及び第１のインナーハウジング６１を貫通すると共に、第１のアウターハウジング６３に固定される。これにより、駆動輪セット４１を安定して且つ回動可能に第１のインナーハウジング６１及び第２のインナーハウジング６２内に設けることができる。
【００２４】
このように、クリーニングテープ５０は、その一部が巻取プレート４１２の巻取柱４１２２に巻回され、一部がクリーニング領域６６に位置し、他の部分が巻回プレート４１４の巻回柱４１４２に巻回される。本実施例において、クリーニング領域６６を通過していないクリーニングテープ５０（即ち清潔なクリーニングテープ５０）は、巻回プレート４１４の巻回柱４１４２に巻回される。クリーニング領域６６を通過したクリーニングテープ５０（即ち汚れたクリーニングテープ５０）は、巻取プレート４１２の巻取柱４１２２に巻回される。分離プレート４１３は、巻取プレート４１２と巻回プレート４１４との間に設けられる。即ち、分離プレート４１３によって、清潔なクリーニングテープ５０と汚れたクリーニングテープ５０とが区分けされているため、清潔なクリーニングテープ５０は、汚れたクリーニングテープ５０によって汚されることがない。使用者が第２のアウターハウジング６４の中空部６４１及び第２のインナーハウジング６２の透明部６２２を通じて巻回プレート４１４及び分離プレート４１３内の清潔なクリーニングテープ５０を目視して、清潔なクリーニングテープ５０の残量を知ることができるように、巻回プレート４１４は、透明材質から成るものであってもよい。
【００２５】
押し棒４２１１は、単独部材又は一体成形により押圧ボタン４２１に結合されてもよい。押圧ボタン４２１が押されると、押し棒４２１１は、押圧ボタン４２１に伴って押圧ボタン４２１と同一方向に移動する。推進ブロック４３１の下ラック４３１５は、駆動プレート４１１の駆動ギア４１１１に突き当てられる。ガイド部材４２３は、第２のインナーハウジング６２の収容部６２３に当接される。連動ロッド４３３の一端は、第１のアウターハウジング６３における第２のアウターハウジング６４と向かい合う面に枢支接続される。遮蔽板６６４が固定板６６２に移動自在に設けられるように、連動ロッド４３３の他端は、遮蔽板６６４に枢支接続される。
【００２６】
以下、光ファイバコネクタクリーニングテープセットの状態について説明する。光ファイバコネクタクリーニングテープセットは、第１の状態（図５、図６参照）及び第２の状態（図７、図８参照）を有する。光ファイバコネクタクリーニングテープセットが第１の状態の場合、押圧ボタン４２１とガイド部材４２３との間のバネ４２２は、自然状態となり又は圧縮弾性が最も小さくなり、遮蔽板６６４が固定板６６２に配置される。
【００２７】
光ファイバコネクタクリーニングテープセットが第２の状態の場合、押圧ボタン４２１とガイド部材４２３との間のバネ４２２は、圧縮弾力を有し、定量ローラ４４１の突出部４４１１が推進ブロック４３１の上ラック４３１３に噛み合わされる。
【００２８】
次いで、光ファイバコネクタクリーニングテープセットが第１の状態から第２の状態に変化する動作について説明する。光ファイバコネクタクリーニングテープセットが第１の状態の場合、使用者が押圧ボタン４２１に力を加えると、押圧ボタン４２１は駆動輪セット４１の方向に向かって押し動かされ、バネ４２２に圧縮弾力が生じる。押圧ボタン４２１が押し動かされることによって推進ブロック４３１が押し動かされる。この時、推進ブロック４３１の移動方向は押圧ボタン４２１のそれと同じである。推進ブロック４３１の下ラック４３１５によって駆動ギア４１１１が押し動かされる。即ち、推進ブロック４３１の線形運動は、下ラック４３１５と駆動ギア４１１１とによって回転運動に変換され、駆動プレート４１１が第１のアウターハウジング６３の下端枢軸６３２を軸として回動する。図６に示すように、駆動プレート４１１の当接爪４１１２によって巻取プレート４１２のラチェットリング４１２１の内歯が動かされることで、巻取プレート４１２が回動する。巻取プレート４１２の巻取柱４１２２がクリーニングテープ５０を巻き取ることによって、クリーニングテープ５０が駆動される。これにより、クリーニングテープ５０が固定板６６２の貫通孔６６２１に露出される部分が変化すると共に、巻回プレート４１４と分離プレート４１３との間の清潔なクリーニングテープ５０が引き出される。
【００２９】
２つの摩擦車４４の間にクリーニングテープ５０が挟持され、クリーニングテープ５０が駆動されることにより、摩擦車４４がクリーニングテープ５０に連動する。摩擦車４４が回動すると、定量ローラ４４１が連動して回動する。同時に定量ローラ４４１の突出部４４１１が推進ブロック４３１の上ラック４３１３に突き当てられ、更に突出部４４１１が上ラック４３１３に対して方向性を有して係止されることから、突出部４４１１は推進ブロック４３１が移動することを阻止することができる。摩擦車４４がクリーニングテープ５０に連動して回動することや、摩擦車４４の半径が不変であることから、クリーニングテープ５０の駆動長さを摩擦車４４の回動角度に直接変換することができる。定量ローラ４４１と摩擦車４４の回動角度は同じである。即ち、クリーニングテープ５０が所定長さ駆動された後、巻取プレート４１２が余分なクリーニングテープ５０を巻き取ることがないように、定量ローラ４４１の突出部４４１１によって、推進ブロック４３１の前進を食い止めることができる。換言すれば、クリーニングテープ５０が毎回駆動される長さは、摩擦車４４の円周一周分の長さに略等しい。
【００３０】
連動ロッド４３３の一端が回動可能に第１のアウターハウジング６３に固定されているため、連動ロッド４３３の他端は、押し棒４２１１に従って移動する。即ち、連動ロッド４３３の頂端４３３１の動きに遮蔽板６６４が連動して後方に移動することによって、使用者は、固定板６６２の貫通孔６６２１を介して、光ファイバコネクタの表面をクリーニングテープ５０で拭き取ることができる。
【００３１】
光ファイバコネクタクリーニングテープセットが後半まで使用されると、使用済みのクリーニングテープ５０が多くなり、巻取プレート４１２と分離プレート４１３との間に巻き取られたクリーニングテープ５０の半径が大きくなる。従って、巻取プレート４１２は、大きな角度分回動させることを要せずして、所要の長さのクリーニングテープ５０を駆動することができる。巻取プレート４１２の駆動角度が小さくなると、推進ブロック４３１の推進距離が短くなり、押圧ボタン４２１及び押し棒４２１１の推進距離も短くなる。但し、押し棒４２１１の推進距離が短くなると、連動ロッド４３３は遮蔽板６６４を完全に後退させるよう連動することができなくなる。本実施例におけるバネ４２２は、その一端が押圧ボタン４２１に固定され、その他端が推進ブロック４３１に固定される。これにより、推進ブロック４３１が移動していない場合でも、バネ４２２の弾力によって推進ブロック４３１を連動させ、ひいては連動ロッド４３３を連動させることができるため、遮蔽板６６４は、依然として完全に後退した状態になるまで移動することができる。
【００３２】
このように、推進ブロック４３１、駆動輪セット４１、摩擦車４４、定量ローラ４４１、連動ロッド４３３及びバネ４２２の構成により、本発明に係る光ファイバコネクタクリーニングテープセットは、円滑に第１の状態から第２の状態へと変化することができる。以下、光ファイバコネクタクリーニングテープセットが第２の状態（図７、図８参照）から第１の状態（図５、図６参照）に変化する動作について説明する。
【００３３】
光ファイバコネクタクリーニングテープセットが第２の状態の場合、使用者が押圧ボタン４２１に加える力を緩めると、バネ４２２の弾性力によって押圧ボタン４２１が第１の状態時の位置に移動する。これにより、押し棒４２１１が第１の状態時の位置の方向に移動し、押し棒４２１１によって推進ブロック４３１が連動して第１の状態時の位置の方向に移動する。下ラック４３１５及び駆動ギア４１１１を介して、推進ブロック４３１により駆動プレート４１１が連動して回動する。この時、駆動プレート４１１の回動方向は、第１の状態から第２の状態に変化する場合の回動方向とは逆方向である。駆動プレート４１１が巻取プレート４１２のラチェットリング４１２１の内歯に方向性を有して係止されることから、駆動プレート４１１によって巻取プレート４１２が連動することはない。また、巻取プレート４１２のラチェットリング４１２１の外歯が第１のインナーハウジング６１の当止爪６１１に方向性を有して係止されることから、当止爪６１１によって、巻取プレート４１２が回動するのを食い止めることができる。巻回プレート４１４も第２のインナーハウジング６２の当止爪６２１によって固定され、巻回プレート４１４が回動することを回避することができる。同時に、押し棒４２１１の摺動ガイドブロック４２１３によって連動ロッド４３３が連動することで、連動ロッド４３３が第１の状態時の位置に搖動し、それにより、遮蔽板６６４が固定板６６２上に配置される。
【００３４】
＜実施例の効果＞
以下、本発明の有益な効果を挙げる。本発明は、面反転装置を利用することでクリーニングテープを裏返しにして利用することができ、無駄を回避する目的を達成することができる。面反転柱のテーパー状回動構造を利用することで、クリーニングテープの走行プロセスが一層円滑となる。定量ローラの構成を有することにより、クリーニングテープの巻き取り長さが一定となる。推進モジュール及び駆動輪の構成を有することにより、使用者は、押圧ボタンを押すだけで光ファイバコネクタクリーニングテープセットを第１の状態及び第２の状態に切り換えることができる。摩擦車、定量ローラ及び上ラックの構成により、クリーニングテープが過度に巻き取られることを回避することができる。単一のバネ及び押し棒の構成により、遮蔽板を固定板上から完全に後退した位置まで円滑に移動させることができる。
【００３５】
以上は本発明の好ましい実施例を説明したものに過ぎず、本発明の範囲を限定するものではない。従って、本発明の明細書及び図面の内容を運用することでなされた等価の技術的変化は、いずれも本発明の保護範囲に含まれる。
【符号の説明】
【００３６】
４０  駆動ユニット
４１  駆動輪セット
４１１  駆動プレート
４１１１  駆動ギア
４１１２  当接爪
４１２  巻取プレート
４１２１  ラチェットリング
４１２２  巻取柱
４１３  分離プレート
４１４  巻回プレート
４１４１  外歯リング
４１４２  巻回柱
４２  押圧ユニット
４２１  押圧ボタン
４２１１  押し棒
４２１２  枢支接続ブロック
４２１３  摺動ガイドブロック
４２２  バネ
４２３  ガイド部材
４２３１  筒状部
４２３２  固定部
４３  推進モジュール
４３１  推進ブロック
４３１１  バネ固定柱
４３１２  上ガイド孔
４３１４  下ガイド孔
４３１３  上ラック
４３１５  下ラック    
４３３  連動ロッド
４３３０  軸孔
４３３１  頂端
４３３２  底端
４４  摩擦車
４４１  定量ローラ
４４１１  突出部
５０  クリーニングテープ
５１  第１の面
５２  第２の面
６０  ハウジング
６１  第１のインナーハウジング
６１０  環状蓋部
６１１  当止爪
６２  第２のインナーハウジング
６２１  当止爪
６２２  透明部
６２３  収容部
６２４  支持平面
６２５  摩擦車柱
６３  第１のアウターハウジング
６３０  開口
６３１  軸心
６３２  下端枢軸
６３４  軸桿
６３５  取付部
６４  第２のアウターハウジング
６４１  中空部
６４２  固定部材
６４５  取付部
６５  面反転構造
６５１  面反転柱
６５１１  テーパー部
６５２  回動柱
６６  クリーニング領域
６６１  支持板
６６２  固定板
６６２１  貫通孔
６６４  遮蔽板
６６４０  ラグ
【図１】
2016078003.tif 000003
【図２】
2016078003.tif 000004
【図３】
2016078003.tif 000005
【図４】
2016078003.tif 000006
【図５】
2016078003.tif 000007
【図６】
2016078003.tif 000008
【図７】
2016078003.tif 000009
【図８】
2016078003.tif 000010